(57)【要約】      （修正有）【課題】経皮配管を備えた、経皮配管のためのバンパを提供する。【解決手段】バンパ３００は、経皮配管１１０の軸方向の移動を防止するか妨げるように構成され、内部を通して形成され、経皮配管を受領するようなサイズになっているアパーチャを有するベース３０２と、ベースに固定され、バンパが経皮配管に対して自在に移動可能である開位置と、バンパが経皮配管に対して固定されている閉位置との間で、アパーチャの近位で移動可能であるフード３４０とを備える。【選択図】図１１
2019069170.tif 000002
【特許請求の範囲】
【請求項１】
経皮配管のためのコネクタアセンブリであって、経皮配管が外側Ｇチューブおよび内側Ｊチューブを含み、
雄コネクタであって、
内側を形成する側壁、第１の開口が内部に形成された第１のシェル端部、および、第２の開口が内部に形成された第２のシェル端部を有するシェルであって、第１の開口と第２の開口との各々は、内側と連通して、この内側を通る経皮配管を受領し、シェルはさらに、被係合部分を有している、シェルと、
チューブ管腔が内部を通して形成された第１の本体端部および第２の本体端部を有するコネクタ本体であって、第１の本体端部は、内部を通る内側Ｊチューブを受領するとともに、外側Ｇチューブと結合するようなサイズであるコネクタチップを有し、コネクタ本体は、シェルの被係合部分と係合する係合部分を有する、コネクタ本体と、
コネクタ本体に結合されるように構成されたプラグであって、流体管腔が内部を通して形成された第１のプラグ端部および第２のプラグ端部を有し、第１のプラグ端部はそこから延びるプラグチップを有し、チップは内側Ｊチューブと結合するようなサイズになっている、プラグと、
を有する、雄コネクタを備えたコネクタアセンブリ。
【請求項２】
被係合部分がシェルの内側に配置されている、請求項１に記載のコネクタアセンブリ。
【請求項３】
シェルの側壁が、内部に形成されたアパーチャを有し、コネクタアセンブリが、アパーチャ内に配置され、コネクタ本体と連通するようなサイズになっているバルブをさらに含む、請求項１に記載のコネクタアセンブリ。
【請求項４】
バルブが、流体ポートを有する第１の端部を有する、請求項３に記載のコネクタアセンブリ。
【請求項５】
バルブが、コネクタ本体に対するシェルの移動を防止するか妨げるために、シェルとコネクタ本体とを係合するように構成された、請求項３に記載のコネクタアセンブリ。
【請求項６】
コネクタチップにはテーパが付けられている、請求項１に記載のコネクタアセンブリ。
【請求項７】
コネクタチップが、内部にプラグチップを収容するようなサイズになっている、請求項１に記載のコネクタアセンブリ。
【請求項８】
係合部分が、ネジによる係合によって被係合部分と係合する、請求項１に記載のコネクタアセンブリ。
【請求項９】
固定用延長部を有するレバーを備えた雌コネクタをさらに備え、固定用延長部が、第２のプラグ端部に形成された溝内に受領されるようなサイズである、請求項１に記載のコネクタアセンブリ。
【請求項１０】
雌コネクタが、固定用延長部が溝内に受領される際に、雄コネクタに対して回転自在であるとともに、雄コネクタとの軸方向の係合を維持する、請求項９に記載のコネクタアセンブリ。
【請求項１１】
プラグの第２のプラグ端部において流体管腔を閉じるための取外し可能なキャップをさらに備えた、請求項１０に記載のコネクタアセンブリ。
【請求項１２】
キャップがコネクタアセンブリに繋げられている、請求項１１に記載のコネクタアセンブリ。
【請求項１３】
コネクタ本体をプラグに結合する締結具をさらに備えた、請求項１に記載のコネクタアセンブリ。
【請求項１４】
締結具が、コネクタ本体とプラグとの少なくとも一方と一体である、請求項１３に記載のコネクタアセンブリ。
【請求項１５】
締結具が、コネクタ本体とプラグとの少なくとも一方から延びる少なくとも１つの固定用凸部を備えている、請求項１４に記載のコネクタアセンブリ。
【請求項１６】
締結具が、コネクタ本体とプラグとの他方内に形成された少なくとも１つの固定用凹部を備えている、請求項１５に記載のコネクタアセンブリ。
【請求項１７】
締結具が、コネクタ本体とプラグとの一部分をそれぞれ受領するために、内部に形成されたノッチを有するクリップを備えている、請求項１３に記載のコネクタアセンブリ。
【請求項１８】
クリップが、コネクタ本体とプラグとは別の部材である、請求項１７に記載のコネクタアセンブリ。
【請求項１９】
クリップが、第１のクリップ部分および第２のクリップ部分を備えている、請求項１７に記載のコネクタアセンブリ。
【請求項２０】
第１のクリップ部分が第２のクリップ部分にヒンジで結合されている、請求項１９に記載のコネクタアセンブリ。
【請求項２１】
第１のクリップ部分が第２のクリップ部分から離間している、請求項１９に記載のコネクタアセンブリ。
【請求項２２】
コネクタ本体とプラグとの各々が、内部に形成された溝を有し、さらに、クリップのノッチが、コネクタ本体とプラグとの溝内にそれぞれ受領されるフランジを形成する、請求項１７に記載のコネクタアセンブリ。
【請求項２３】
経皮配管の軸方向の移動を妨げるか防止するために、経皮配管周りに配置されるように構成されたバンパをさらに備えた、請求項１に記載のコネクタアセンブリ。
【請求項２４】
バンパが、内部を通して形成されたアパーチャを有するベースを備えている、請求項２３に記載のコネクタアセンブリ。
【請求項２５】
複数の隆起部が、ベースの底面に形成されている、請求項２４に記載のコネクタアセンブリ。
【請求項２６】
ベースが弓状外周を備えている、請求項２４に記載のコネクタアセンブリ。
【請求項２７】
ベースが、第１のバンパベース部分および第２のバンパベース部分を備え、第１のバンパベース部分と第２のバンパベース部分との各々が、アパーチャの一部分を形成するノッチを有する、請求項２４に記載のコネクタアセンブリ。
【請求項２８】
バンパが、第１のバンパベース部分と第２のバンパベース部分とをともに接続するためのバンパベースコネクタをさらに備えている、請求項２７に記載のコネクタアセンブリ。
【請求項２９】
バンパベースコネクタが、第１のバンパベース部分と第２のバンパベース部分との一方から延びる凸部と、この凸部を受領するための、第１のバンパベース部分と第２のバンパベース部分との他方内に形成されたレセプタクルとを含んでいる、請求項２８に記載のコネクタアセンブリ。
【請求項３０】
バンパベースコネクタが、第１のバンパベース部分と第２のバンパベース部分との各々のノッチの近位に位置する支持壁と、第１のバンパベース部分と第２のバンパベース部分との各々の支持壁にヒンジで接続されたフードとを含む、請求項２９に記載のコネクタアセンブリ。
【請求項３１】
各支持壁が、アパーチャから延びるＵ状チャネルの一部分を形成し、第１のバンパベース部分と第２のバンパベース部分とがともに接続されている場合に経皮配管を受領するようなサイズになっている、湾曲した壁面を有する、請求項３０に記載のコネクタアセンブリ。
【請求項３２】
フードが、経皮配管の一部分を受領するようなサイズになっているＵ状表面を有する、請求項３０に記載のコネクタアセンブリ。
【請求項３３】
フードが、バンパが経皮配管に対して自在に移動可能である開位置と、バンパが経皮配管に対して固定されている閉位置との間で移動可能である、請求項３０に記載のコネクタアセンブリ。
【請求項３４】
フードが開位置にある場合、バンパが経皮配管周りに自在に回転することができる、請求項３３に記載のコネクタアセンブリ。
【請求項３５】
ベースが、少なくとも部分的に基板部分内に受領されるベース部分を備えている、請求項２３に記載のコネクタアセンブリ。
【請求項３６】
ベース部分が、支持壁の各側に、両側のトラックを形成する支持壁を備えている、請求項３５に記載のコネクタアセンブリ。
【請求項３７】
バンパが、ベースと係合し、バンパが経皮配管に対して自在に移動可能である開位置と、バンパが経皮配管に対して固定されている閉位置との間で、トラックに沿ってスライド可能であるフードを含んでいる、請求項３６に記載のコネクタアセンブリ。
【請求項３８】
経皮配管を備えた、経皮配管のためのバンパであって、経皮配管の軸方向の移動を防止するか妨げるように構成され、
内部を通して形成され、経皮配管を受領するようなサイズになっているアパーチャを有するベースと、
ベースに固定され、バンパが経皮配管に対して自在に移動可能である開位置と、バンパが経皮配管に対して固定されている閉位置との間で、アパーチャの近位で移動可能であるフードと、を備えたバンパ。
【請求項３９】
ベースの底面に形成された複数の隆起部をさらに備えた、請求項３８に記載のバンパ。
【請求項４０】
ベースが弓状外周を備えている、請求項３８に記載のバンパ。
【請求項４１】
ベースが、第１のバンパベース部分および第２のバンパベース部分を備え、第１のバンパベース部分と第２のバンパベース部分との各々が、アパーチャの一部分を形成するノッチを有する、請求項３８に記載のバンパ。
【請求項４２】
バンパが、第１のバンパベース部分と第２のバンパベース部分とをともに接続するためのバンパベースコネクタをさらに備えている、請求項４１に記載のバンパ。
【請求項４３】
バンパベースコネクタが、第１のバンパベース部分と第２のバンパベース部分との一方から延びる凸部と、この凸部を受領するための、第１のバンパベース部分と第２のバンパベース部分との他方内に形成されたレセプタクルとを含んでいる、請求項４２に記載のバンパ。
【請求項４４】
バンパベースコネクタが、第１のバンパベース部分と第２のバンパベース部分との各々のノッチの近位に位置する支持壁と、第１のバンパベース部分と第２のバンパベース部分との各々の支持壁にヒンジで接続されたフードとを含む、請求項４２に記載のバンパ。
【請求項４５】
各支持壁が、アパーチャから延びるＵ状チャネルの一部分を形成し、第１のバンパベース部分と第２のバンパベース部分とがともに接続されている場合に経皮配管を受領するようなサイズになっている、湾曲した壁面を有する、請求項４４に記載のバンパ。
【請求項４６】
フードが、経皮配管の一部分を受領するようなサイズになっているＵ状表面を有する、請求項４４に記載のバンパ。
【請求項４７】
フードが、バンパが経皮配管に対して自在に移動可能である開位置と、バンパが経皮配管に対して固定されている閉位置との間で移動可能である、請求項４４に記載のバンパ。
【請求項４８】
フードが開位置にある場合、バンパは経皮配管周りに自在に回転することができる、請求項４７に記載のバンパ。
【請求項４９】
ベースが、少なくとも部分的に基板部分内に受領されるベース部分を備えている、請求項３８に記載のバンパ。
【請求項５０】
ベース部分が、支持壁の各側に、両側のトラックを形成する支持壁を備えている、請求項４９に記載のバンパ。
【請求項５１】
バンパが、ベースと係合し、バンパが経皮配管に対して自在に移動可能である開位置と、バンパが経皮配管に対して固定されている閉位置との間で、トラックに沿ってスライド可能であるフードを含んでいる、請求項５０に記載のバンパ。
【請求項５２】
外側Ｇチューブおよび内側Ｊチューブを有する経皮配管を含む配管アセンブリを組み立てる方法であって、
内側を形成する側壁、第１の開口が内部に形成された第１のシェル端部、および、第２の開口が内部に形成された第２のシェル端部を有するシェルを提供することと、
経皮配管をシェルの第１および第２の開口を通して挿入することと、
チューブ管腔が内部を通して形成された第１の本体端部および第２の本体端部を有するコネクタ本体であって、第１の本体端部がコネクタチップを有する、コネクタ本体を提供することと、
内側Ｊチューブをコネクタチップ内に、コネクタ本体を通して挿入することと、
外側Ｇチューブをコネクタチップと結合することと、
流体管腔が内部を通して形成された第１のプラグ端部および第２のプラグ端部を有するプラグであって、第１のプラグ端部はそこから延びるプラグチップを有する、プラグを提供することと、
内側Ｊチューブをプラグチップと結合することと、
コネクタ本体をプラグと結合することと、
コネクタ本体をシェルと結合することと、を含む、方法。
【請求項５３】
シェルの側壁が、内部に形成されたアパーチャを有し、本方法はさらに、バルブをアパーチャ内に、コネクタ本体と流体連通させるように挿入することを含む、請求項５２に記載の方法。
【請求項５４】
流体管腔を閉じるために、キャップを第２のプラグ端部と係合させることをさらに含む、請求項５２に記載の方法。
【請求項５５】
雌コネクタが結合した流体源を提供することであって、雌コネクタが固定用延長部を有するレバーを備えている、流体源を提供することと、
第２のプラグ端部の少なくとも一部分を、流体管腔が流体源と流体連通した雌コネクタに挿入することと、
雌コネクタの固定用延長部を第２のプラグ端部と解放可能に結合させるようにレバーを起動することと、をさらに含む、請求項５２に記載の方法。
【発明の詳細な説明】
【技術分野】
【０００１】
本件の開示の主題は、経皮配管を患者の中に配置するためのシステムおよび技術を含む、搬送チューブアセンブリに関する。
【背景技術】
【０００２】
ある搬送チューブアセンブリが、腸管内および腸管外の適応に関するものを含み、医学技術において知られており、使用されている。たとえば、経皮内視鏡的胃瘻造設術（ＰＥＧ）は、内視鏡による医療処置であり、その中で、チューブ（「ＰＥＧチューブ」または「Ｇチューブ」）が、腹腔壁を通して患者の胃などの胃腸システム内に配置される。ＰＥＧチューブは、口での摂取が適切ではない場合（たとえば、嚥下困難または鎮静状態のために）、患者を治療または栄養を与えるのに利用され得る。ＰＥＧチューブは、たとえば、投薬の有益な吸収が口での投与によっては適切ではない場合などに、チューブを通して投薬を施すのにも利用され得る。配管システムは、たとえば胃をバイパスして空腸に直接投薬を施すために、空腸延長チューブ（「ＰＥＧ−Ｊチューブ」または「Ｊチューブ」）をＰＥＧチューブに通し、幽門を介して空腸に入れることにより、小腸などの胃腸系内にもさらに延長され得る。
【０００３】
ＰＥＧは、腹腔壁に穴を開けることと、瘻孔を形成することと、この瘻孔を通して胃の中にＧチューブを供給することと、を伴い得る。Ｊチューブは、Ｇチューブを通して、空腸内に胃および十二指腸を通して供給され得る。内側バンパは、たとえばＧチューブが瘻孔から外に移動するのを防止するか妨げるために、胃の内側に配置し、Ｇチューブ周りに取り付けることができる。
【０００４】
配管システムは、たとえば瘻孔を保護し、瘻孔を出るＧチューブおよびＪチューブをガイドするために、Ｇチューブに固定され、瘻孔に近い肌に、またはこの肌の近くに配置された外側バンパを含み得る。外側バンパは、ＧチューブおよびＪチューブの外側部分が瘻孔を通って胃の中に移動するのを防止するか妨げることもできる。追加的または代替的に、配管システムは、たとえば、食物または薬物搬送デバイスなどの外部デバイスへのＧチューブおよびＪチューブの取付けを容易にするために、ＧチューブおよびＪチューブの外側部分の端部に取り付けられた患者側のコネクタを含み得る。患者側のコネクタは、各チューブを別々に洗浄することを含め、ＧチューブおよびＪチューブの洗浄を容易にすることもできる。
【０００５】
しかしながら、ＰＥＧ−Ｊ配管システムなどの既知の経皮配管システムのさらなる改善に関する要請が依然として存在している。たとえば、不慮の接続解除および／またはＪチューブの移動を防止するか妨げることもしつつ、外部デバイスへの単純な接続を提供することが、コネクタには望ましい場合がある。また、ＧチューブおよびＪチューブの柔軟な移動および回転を可能にすることが、バンパには望ましい場合がある。たとえば、やはりＧチューブおよびＪチューブが略平坦に、腹腔に対して平行に置かれることを可能にしつつ、適切な瘻孔の治療を促進するために、ＧチューブおよびＪチューブを瘻孔の外で胃に対して略垂直に案内することが、バンパにはさらに望ましい場合がある。これにより、チューブの可視性が低減される場合がある。開示の主題に従って配管システムおよび方法により、これらおよび他の利点が提供され得る。
【発明の概要】
【課題を解決するための手段】
【０００６】
開示の主題の目的および利点が、以下の詳細な説明で説明されるとともに、明らかになり、かつ、開示の主題を実施することによって習得される。開示の主題のさらなる利点は、記載の詳細な説明および本件の特許請求の範囲に特に示された方法およびシステムによって、ならびに添付図面から、実現および達成される。
【０００７】
これらおよび他の利点を得るために、また、開示の主題の目的に従って、実施され、かつ、広く記載されるように、開示の主題は、外側Ｇチューブおよび内側Ｊチューブを含む、経皮配管のためのコネクタアセンブリを含んでいる。コネクタアセンブリは概して、シェル、コネクタ本体、およびプラグを有する雄コネクタアセンブリを含んでいる。シェルは、内側を形成する側壁、内部に形成された第１の開口を有する第１のシェル端部、および、内部に形成された第２の開口を有する第２のシェル端部を有し、第１の開口と第２の開口との各々は、内側と連通して、この内側を通る経皮配管を受領し、シェルはさらに、被係合部分を有している。コネクタ本体は、チューブ管腔が内部を通して形成された第１の本体端部および第２の本体端部を有し、第１の本体端部は、内部を通る内側Ｊチューブを受領するとともに、外側Ｇチューブと結合するようなサイズであるコネクタチップを有し、コネクタ本体は、シェルの被係合部分と係合する係合部分を有する。プラグは、コネクタ本体に結合されるように構成され、流体管腔が内部を通して形成された第１のプラグ端部および第２のプラグ端部を有し、第１のプラグ端部はそこから延びるプラグチップを有し、チップは内側Ｊチューブと結合するようなサイズになっている。
【０００８】
いくつかの実施形態では、被係合部分はシェルの内側に配置され得る。シェルの側壁は、内部に形成されたアパーチャを有し得、コネクタアセンブリは、アパーチャ内に配置されるようなサイズになっており、コネクタ本体と連通するバルブを含み得る。バルブは、流体フィッティングを有する第１の端部を有し得る。バルブは、コネクタ本体に対するシェルの移動を防止するか妨げるために、シェルとコネクタ本体とを係合するように構成され得る。
【０００９】
追加的または代替的に、本明細書で実施されるように、コネクタチップにはテーパを付けることができる。コネクタチップは、内部にプラグチップを受領するようなサイズにすることができる。係合部分は、ネジによる係合によって被係合部分に係合させることができる。
【００１０】
さらに、本明細書で実施されるように、コネクタアセンブリは、固定用延長部を有するレバーを備えた雌コネクタを含み得る。固定用延長部は、第２のプラグ端部に形成された溝内に受領されるようなサイズにすることができる。雌コネクタは、固定用延長部が溝内に受領される際に、雄コネクタに対して回転自在であるとともに、雄コネクタとの軸方向の係合を維持することができる。コネクタアセンブリは、プラグの第２のプラグ端部において流体管腔を閉じるための取外し可能なキャップを含み得る。キャップが、コネクタアセンブリに繋げられることができる。
【００１１】
たとえば、本明細書で実施されるように、コネクタアセンブリは、コネクタ本体をプラグに結合する締結具を含み得る。締結具は、コネクタ本体とプラグとの少なくとも一方と一体にすることができる。締結具は、コネクタ本体とプラグとの少なくとも一方から延びる少なくとも１つの固定用凸部を含み得る。締結具は、コネクタ本体とプラグとの他方内に形成された少なくとも１つの固定用凹部を含み得る。締結具は、コネクタ本体とプラグとのそれぞれの一部分を受領するために、内部に形成されたノッチを有するクリップを含み得る。クリップは、第１のクリップ部分および第２のクリップ部分を含み得る。クリップは、コネクタ本体とプラグとは別の部材とすることができる。クリップは、第２のクリップ部分にヒンジで結合された第１のクリップ部分を含み得る。代替的には、クリップは、第２のクリップ部分から離間した第１のクリップ部分を含み得る。コネクタ本体とプラグとの各々は、内部に形成された溝を有し得、また、クリップのノッチは、コネクタ本体とプラグとのそれぞれの溝内に受領されるフランジを形成し得る。
【００１２】
さらに、いくつかの実施形態では、コネクタアセンブリは、経皮配管の軸方向の移動を妨げるか防止するために、経皮配管周りに配置されるように構成されたバンパを含み得る。バンパは、内部を通して形成されたアパーチャを有するベースを含み得る。複数の隆起部を、ベースの底面に形成することができる。ベースは、弓状外周を含み得る。ベースは、第１のバンパベース部分および第２のバンパベース部分を含み得、いくつかの実施形態では、第１のバンパベース部分と第２のバンパベース部分との各々は、アパーチャの一部分を形成するノッチを有し得る。バンパは、第１のバンパベース部分と第２のバンパベース部分とをともに接続するためのバンパベースコネクタを含み得る。バンパベースコネクタは、第１のバンパベース部分と第２のバンパベース部分との一方から延びる凸部と、この凸部を受領するための、第１のバンパベース部分と第２のバンパベース部分との他方内に形成されたレセプタクルとを含み得る。追加的または代替的に、バンパベースコネクタは、第１のバンパベース部分と第２のバンパベース部分との各々のノッチの近位に位置する支持壁と、第１のバンパベース部分と第２のバンパベース部分との各々の支持壁にヒンジで接続されたフードとを含み得る。各支持壁は、アパーチャから延びるＵ状チャネルの一部分を形成し、第１のバンパベース部分と第２のバンパベース部分とがともに接続されている場合に経皮配管を受領するようなサイズになっている、湾曲した壁面を有し得る。フードは、経皮配管の一部分を受領するようなサイズになっているＵ状表面を有し得る。フードは、バンパが経皮配管に対して自在に移動可能である開位置と、バンパが経皮配管に対して固定されている閉位置との間で移動可能とすることができる。フードが開位置にある場合、バンパは経皮配管周りに自在に回転することができる。
【００１３】
追加的または代替的に、ベースは、少なくとも部分的に基板部分内に受領されるベース部分を含み得る。ベース部分は、支持壁の各側に、互いに対して反対側のトラックを形成する支持壁を含み得る。バンパは、ベースと係合し、バンパが経皮配管に対して自在に移動可能である開位置と、バンパが経皮配管に対して固定されている閉位置との間で、トラックに沿ってスライド可能であるフードを含み得る。
【００１４】
別の態様によれば、開示の主題は、経皮配管のためのバンパを含んでいる。バンパは、経皮配管の軸方向の移動を防止するか妨げるように構成されている。バンパは、内部を通して形成され、経皮配管を受領するようなサイズになっているアパーチャを有するベースと、ベースに固定され、バンパが経皮配管に対して自在に移動可能である開位置と、バンパが経皮配管に対して固定されている閉位置との間で、アパーチャの近位で移動可能であるフードとを含み得る。バンパは、本明細書に記載の特徴のいずれかを含み得る。
【００１５】
別の態様によれば、開示の主題は、経皮配管を含む配管システムを組み立てる方法を含んでいる。経皮配管は、外側Ｇチューブおよび内側Ｊチューブを含んでいる。本方法は、内側を形成する側壁、内部に形成された第１の開口を有する第１のシェル端部、および、内部に形成された第２の開口を有する第２のシェル端部を有するシェルを提供することと、シェルの第１の開口および第２の開口を通して経皮配管を挿入することと、内部を通してチューブ管腔が形成された、第１の本体端部および第２の本体端部を有するコネクタ本体を提供することであって、第１の本体端部がコネクタチップを有する、提供することと、内側Ｊチューブをコネクタチップ内に、コネクタ本体を通して挿入することと、外側Ｇチューブをコネクタチップと結合させることと、内部を通して流体管腔が形成された、第１のプラグ端部および第２のプラグ端部を有するプラグを提供することであって、第１のプラグ端部が、そこから延びるプラグチップを有する、提供することと、内側Ｊチューブをプラグチップと結合させることと、コネクタ本体をプラグと結合させることと、コネクタ本体をシェルと結合させることと、を含んでいる。
【００１６】
追加的または代替的に、シェルの側壁は、内部に形成されたアパーチャを有し得、本方法はさらに、バルブをアパーチャ内に、コネクタ本体と流体連通させるように挿入することを含み得る。本方法はさらに、流体管腔を閉じるために、キャップを第２のプラグ端部と係合させることを含み得る。
【００１７】
さらに、本明細書で実施されるように、本方法は、雌コネクタが結合された流体源を提供することであって、雌コネクタが固定用延長部を有するレバーを含む、提供することと、第２のプラグ端部の少なくとも一部分を、流体源と流体連通する流体管腔を有する雌コネクタに挿入することと、雌コネクタの固定用延長部を第２のプラグ端部と解放可能に結合させるようにレバーを作動させることと、を含み得る。
【００１８】
上述の概略的な記載と、以下の詳細な説明との両方は、例示的なものであり、請求される開示の主題のさらなる説明を提供することが意図されていることを理解されたい。
【００１９】
本明細書に組み込まれるとともに、本明細書の一部を成す添付図面は、開示の主題を説明し、開示の主題のさらなる理解を促すために含まれる。説明とともに、図面は、開示の主題の原理を説明する役割を果たす。
【図面の簡単な説明】
【００２０】
【図１】開示の主題の例示的実施形態による、例示的雄コネクタアセンブリを含む例示的配管システムの平面図である。
【図２】雌コネクタに結合された雄コネクタアセンブリを有する、図１の例示的配管システムの斜視図である。
【図３Ａ】図１の例示的配管システムの例示的雄コネクタアセンブリの上面斜視図である。
【図３Ｂ】図３Ａの例示的雄コネクタアセンブリの側面図である。
【図３Ｃ】図３Ａの例示的雄コネクタアセンブリの正面図である。
【図３Ｄ】図３Ａの例示的雄コネクタアセンブリの背面図である。
【図４Ａ】図３Ａの例示的雄コネクタアセンブリの分解上面斜視図である。
【図４Ｂ】図３Ａの例示的雄コネクタアセンブリの分解底面斜視図である。
【図４Ｃ】図３Ａの例示的雄コネクタアセンブリの分解側面図である。
【図５】開示の主題に従う例示的シェルを通して挿入された経皮配管の斜視図である。
【図６】開示の主題に従う、Ｊチューブが例示的コネクタ本体を通して挿入され、Ｇチューブが例示的コネクタチップと結合した、図５の経皮配管の斜視図である。
【図７】開示の主題に従う、Ｊチューブが例示的プラグチップと結合し、例示的プラグがコネクタ本体と結合した、図６の経皮配管の斜視図である。
【図８】開示の主題に従う、コネクタ本体がシェルと結合した、図７の経皮配管の斜視図である。
【図９Ａ】図１の例示的配管システムの例示的バンパの斜視図である。
【図９Ｂ】図９Ａの例示的バンパの正面図である。
【図９Ｃ】図９Ａの例示的バンパの底面図である。
【図１０】図９Ａの例示的バンパの分解斜視図である。
【図１１】経皮配管が内部を通して挿入され、フードが開位置にある、図９Ａの例示的バンパの斜視図である。
【図１２】フードが閉位置にある、図９Ａの例示的バンパの斜視図である。
【図１３Ａ】開示の主題の例示的実施形態による、取外し可能なキャップが上に配置された、図１の配管システムの例示的雌コネクタの上面図である。
【図１３Ｂ】図１３Ａの雌コネクタの底面図である。
【図１３Ｃ】図１３Ａの雌コネクタの左側面図である。
【図１３Ｄ】図１３Ａの雌コネクタの右側面図である。
【図１３Ｅ】図１３Ａの雌コネクタの正面図である。
【図１４】図１３Ａの雌コネクタの分解斜視図である。
【図１５】例示的第２のプラグ端部と係合した、図１３Ａの雌コネクタの断面図である。
【図１６Ａ】図１の例示的配管システムの例示的雄コネクタアセンブリの別の実施形態の上面斜視図である。
【図１６Ｂ】図１６Ａの例示的雄コネクタアセンブリの側面図である。
【図１６Ｃ】図１６Ａの例示的雄コネクタアセンブリの正面図である。
【図１６Ｄ】図１６Ａの例示的雄コネクタアセンブリの背面図である。
【図１７Ａ】図１６Ａの例示的雄コネクタアセンブリの分解上面斜視図である。
【図１７Ｂ】図１６Ａの例示的雄コネクタアセンブリの分解底面斜視図である。
【図１７Ｃ】図１６Ａの例示的雄コネクタアセンブリの分解側面図である。
【図１８Ａ】図１の例示的配管システムの例示的バンパの別の実施形態の斜視図である。
【図１８Ｂ】図１８Ａの例示的バンパの正面図である。
【図１８Ｃ】図１８Ａの例示的バンパの底面図である。
【図１９Ａ】図１８Ａの例示的バンパの分解上面斜視図である。
【図１９Ｂ】図１８Ａの例示的バンパの分解底面斜視図である。
【図２０】経皮配管が内部を通して挿入され、フードが第１の位置にある、図１８Ａの例示的バンパの斜視図である。
【図２１】フードが第２の位置にある、図１８Ａの例示的バンパの斜視図である。
【発明を実施するための形態】
【００２１】
ここで、開示の主題の様々な例示的実施形態を詳細に参照する。開示の主題の例示的実施形態は、添付図面に図示されている。開示の主題の構造および対応する操作方法、ならびに、開示の主題を使用する処置の方法が、本システムの詳細な説明に関連して記載される。
【００２２】
本明細書に提供される装置および方法は、患者に対し、薬または生物学的薬剤などの様々な適切な治療薬または物質のいずれかを投与するために使用され得る。たとえば、本明細書で実施されるように、配管システムは、配管システムを通して治療薬を搬送するために、ポンプなどの治療薬搬送デバイスに結合され得る。本明細書で使用される場合、「治療薬搬送デバイス」または「搬送デバイス」（本明細書では交換可能に使用される）は概して、配管システムを通して患者への、液体またはゲル状の組成物を含む、治療薬などの流体物質の投薬を施すことが可能であるデバイスを指すものと意図されている。いくつかの実施形態では、流体治療薬には、１つまたは複数の医薬品または生物学的薬剤が含まれ得る。たとえば、限定ではないが、１つのそのような液体治療薬は、レボドパなどの中枢神経系作用薬とすることができる。中枢神経系作用薬は、単独で、または、たとえば限定ではないが、カルビドパなどの脱炭酸酵素抑制剤と組み合わせて投与され得る。
【００２３】
本明細書に開示の主題に従って、Ｇチューブなどの外側チューブおよびＪチューブなどの内側チューブを含む、経皮配管のためのコネクタアセンブリが提供される。コネクタアセンブリは概して、シェル、コネクタ本体、およびプラグを有する、雄コネクタアセンブリを含んでいる。シェルは、内側を形成する側壁、内部に形成された第１の開口を有する第１のシェル端部、および、内部に形成された第２の開口を有する第２のシェル端部を有し、第１の開口と第２の開口との各々は、内側と連通して、この内側を通る経皮配管を受領し、シェルはさらに、被係合部分を有している。コネクタ本体は、チューブ管腔が内部を通して形成された第１の本体端部および第２の本体端部を有し、第１の本体端部は、内部を通る内側Ｊチューブを受領するとともに、外側Ｇチューブと結合するようなサイズであるコネクタチップを有し、コネクタ本体は、シェルの被係合部分と係合する係合部分を有する。プラグは、コネクタ本体に結合され、内部を通して流体管腔が形成された、第１のプラグ端部および第２のプラグ端部を有し、第１のプラグ端部はそこから延びるプラグチップを有し、チップは内側Ｊチューブと結合するようなサイズになっている。
【００２４】
同様の参照符号が、別々の図を通して同じまたは機能的に類似の要素を示す添付図面は、様々な実施形態をさらに示し、すべてが開示の主題に従って様々な原理および利点を説明する役割を果たす。説明および図示の目的のために、限定ではないが、開示の主題に従う、配管アセンブリの例示的実施形態および関連する構成要素が図１から図２１に示されている。本件の開示の主題が治療薬の服薬量を投与するための搬送デバイスを有する配管システムを使用することに関して記載されているが、当業者は、開示の主題は図示の実施形態に限定されず、コネクタアセンブリが、内部を通して任意の適切な物質を搬送するための任意の適切な配管システムの構成要素とすることができることを理解するであろう。さらに、コネクタアセンブリを使用する構成要素および方法は、本明細書に記載または示される例示的実施形態に限定されない。たとえば、本明細書に実施のバンパは、同様の利益および利点のために、他の配管アセンブリとともに使用され得る。同様に、コネクタアセンブリは、従来のアダプタを含む、他のデバイスコネクタとともに使用するために構成することができ、本明細書のデバイスコネクタとともに使用することに限定されない。
【００２５】
図１の例示的実施形態を参照すると、配管システム１００は、たとえば図５に示すように、外側Ｇチューブ１１２および、その内部を通って延びる内側Ｊチューブ１１４を有する経皮配管１１０を含んでいる。図１を参照すると、患者の外部の経皮配管１１０の端部は、この端部に結合されたコネクタアセンブリ２００を有し得、このコネクタアセンブリ２００は、たとえば本明細書で実施されるように、雄コネクタアセンブリとして構成され得る。以下にさらに記載するように、本明細書に実施される配管システム１００は、コネクタアセンブリ２００からある距離だけ離間した、経皮配管１１０周りに配置されたバンパ３００を含んでいる。以下にさらに記載するように、コネクタアセンブリ２００は、デバイスコネクタ４００に結合するように構成されている。このデバイスコネクタ４００は、たとえば本明細書で実施されるように、雌コネクタとして構成され得る。デバイスコネクタ４００は、搬送デバイスまたは流体源と結合され、こうして、経皮配管１１０をそのような搬送デバイスまたは流体源に結合する。たとえば、図１に示すように、流体源コネクタ４２０は、配管４１０を介してデバイスコネクタ４００と結合され得る。流体源コネクタ４２０は、たとえば限定ではないが、経口／経腸コネクタ、ルアーコネクタ、または任意の他の液密コネクタとして構成され得、たとえば限定ではないが、経皮配管１１０を通して流体を分配するための注入器４３０などの流体源に結合するために使用され得る。追加的または代替的に、図１に示すように、ポンプデバイス４５０は、配管４１０を介してデバイスコネクタ４００と結合され得、ポンプデバイス４５０は、たとえば限定ではないが、経皮配管１１０を通して流体をポンプで送るために使用され得る。
【００２６】
図２を参照すると、経皮配管１１０は、この経皮配管１１０に結合されたコネクタアセンブリ２００とともに図示されている。コネクタアセンブリ２００は、本明細書に記載のように、任意のデバイスまたは流体源に結合できるデバイスコネクタ４００と一列に結合されている。以下にさらに記載するように、バンパ３００は、瘻孔の近位で、患者の肌上または肌の近くに配置され、経皮配管１１０は、バンパ３００および瘻孔を通って胃の中に延びている。
【００２７】
図３Ａから図４Ｃを参照すると、例示的コネクタアセンブリ２００が示されている。たとえば図４Ａから図４Ｃに示すように、コネクタアセンブリ２００は概して、シェル２１０、コネクタ本体２３０、プラグ２５０、およびクリップ２７０を含んでいる。シェルは、内側を形成する側壁２１２を有している。本明細書で実施されるように、シェルは、第１の開口が内部に形成された第１のシェル端部２１４と、第２の開口が内部に形成された第２のシェル端部２１６とを有している。第１のシェル端部２１４の開口および第２のシェル端部２１６の開口は、その開口を通して経皮配管１１０を受領するために内側と連通している。
【００２８】
図４Ａから図４Ｃを参照すると、シェルは、被係合部分２１８をさらに有している。本明細書で実施されるように、被係合部分２１８はネジで係合するように構成され得る。しかしながら、たとえば限定ではないが、スナップフィット係合、ラッチ係合、または任意の他の適切な係合などの、任意の適切な係合の構成が使用できる。さらに、本明細書で実施されるように、被係合部分２１８はシェル２１０の内側に配置され得る。
【００２９】
さらに、本明細書で実施されるように、シェル２１０の側壁２１２は、内部に形成されたアパーチャ２２０を有し得る。アパーチャ２２０は、側壁２１２を通してシェル２１０の内側へのアクセスを可能にし得る。たとえば、本明細書で実施されるように、アパーチャ２２０は、本明細書にさらに説明されているように、流体が、アパーチャ２２０を通してシェル２１０の内側に選択的にアクセスすることを可能にするように、バルブ２８０、または他の適切な流体調整構成要素を受領するようなサイズとすることができる。
【００３０】
図４Ａから図４Ｃを参照すると、コネクタアセンブリ２００は、コネクタ本体２３０を含んでいる。本明細書で実施されるように、コネクタ本体２３０は、内部を通してチューブ管腔が形成された第１の本体端部２３４および第２の本体端部２３６を形成する側壁２３２を有する。第１の本体端部２３４はコネクタチップ２３７を有している。本明細書で実施されるように、コネクタチップ２３７は、内部を通して内側Ｊチューブ１１４を受領するようなサイズになっている内径を有している。さらに、本明細書で実施されるように、コネクタチップ２３７は、外側Ｇチューブ１１２と結合するようなサイズになっている外径を有している。さらに、いくつかの実施形態では、コネクタチップ２３７にはテーパを付けることができる。代替的には、コネクタチップ２３７は、一様な断面寸法を有し得る。さらにコネクタ本体２３０は、その側壁２３２に形成された凹状部分２３１を含み得る。凹状部分２３１は、たとえば表面の押下げの作用を受けやすい表面積の量を低減することにより、成形性が向上した構造を提供する。
【００３１】
本明細書で実施されるように、コネクタアセンブリ２００は、内部を通してＧチューブ１１２を受領するようなサイズになっているフェルール２３５をも含み得る。さらに、本明細書で実施されるように、コネクタ本体２３０は、コネクタチップ２３７を囲むリム２３９を含み得る。Ｇチューブ１１２はこうして、コネクタチップ２３７とリム２３９との間を、コネクタ本体２３０を通って延びることができる。したがって、フェルール２３５は、コネクタ本体２３０と係合し、コネクタ本体２３０に入るＧチューブ１１２を覆うように、コネクタチップ２３７を覆って配置されるようなサイズとすることができる。この方式で、フェルール２３５は、コネクタチップ２３７と係合するように、径方向にＧチューブ１１２を圧縮することができる。コネクタ本体２３０がシェル２１０に挿入されると、本明細書に記載のように、第１のシェル端部２１４により、Ｇチューブ１１２をコネクタチップ２３７とさらに係合させるように、フェルール２３５をさらに圧縮することができる。
【００３２】
たとえば、本明細書で実施されるように、コネクタ本体２３０は、シェル２１０の被係合部分２１８と係合する係合部分２３８を有している。本明細書で実施されるように、係合部分２３８はネジで係合するように構成され得る。しかしながら、たとえば限定ではないが、スナップフィット係合、ラッチ係合、または任意の他の適切な係合などの、任意の適切な係合の構成が、係合部分２３８がシェル２１０の被係合部分２１８を補完するために使用できる。さらに、本明細書で実施されるように、係合部分２３８は、コネクタチップ２３７からコネクタ本体２３０に沿って内側に離間し得る。
【００３３】
さらに、本明細書で実施されるように、コネクタ本体２３０の側壁２３２は、内部に形成されたアパーチャ２４０を有し得る。アパーチャ２４０により、側壁２３２を通してコネクタ本体２３０の内側へのアクセスを可能にし得る。たとえば、本明細書で実施されるように、アパーチャ２４０は、本明細書にさらに説明されているように、流体が、アパーチャ２４０を通してコネクタ本体２３０の内側に選択的にアクセスすることを可能にするように、バルブ２８０、または他の適切な流体調整構成要素を受領するようなサイズとすることができる。さらに、コネクタ本体２３０は、たとえばバルブ２８０をコネクタ本体２３０と係合させるために、アパーチャ２４０の近位に被係合部分２４２を有し得る。たとえば、本明細書で実施されるように、被係合部分２４２はネジで係合するようにすることができる。しかしながら、たとえば限定ではないが、スナップフィット係合、ラッチ係合、または任意の他の適切な係合などの、任意の適切な係合が使用できる。
【００３４】
さらに、本明細書で実施されるように、第２の本体端部２３６はフランジ２４４を含み得る。このフランジ２４４は、第２の本体端部２３６のアパーチャを囲み、フランジ２４４と側壁２３２との間に溝２４５を形成する。フランジ２４４および溝２４５は、本明細書にさらに記載するように、コネクタ本体２３０のための締結具の一部分を形成することができる。さらに、本明細書で実施されるように、フランジ２４４は、そこから突出する凸部２４６を含み得、この凸部２４６は、本明細書にさらに記載するように、コネクタ本体２３０を、第２の本体端部２３６において取り付けられた構成要素に対する適切な回転整列で固定するために、対応するレセプタクルを合わせることができる。
【００３５】
引き続き図４Ａから図４Ｃを参照すると、本明細書で実施されるように、コネクタアセンブリ２００はプラグ２５０を含んでいる。プラグ２５０は、内部を通して流体管腔が形成された、第１のプラグ端部２５４および第２のプラグ端部２５６を形成するプラグ本体２５２を有している。第１のプラグ端部２５４は、そこから延びるプラグチップ２５７を有している。本明細書で実施されるように、プラグチップ２５７は、内側Ｊチューブ１１４と結合するようなサイズになっている。たとえば、本明細書で実施されるように、プラグチップ２５７により、外径がＪチューブ１１４内にフィットするようなサイズになっている管腔が形成され、また、このプラグチップ２５７は、ステンレススチールチューブまたは成型プラスチックチューブとして形成することができる。第１のプラグ端部２５４は、内部にプラグチップ２５７を受領するようなサイズになっているリム２５９を有し得る。本明細書で実施されるように、コネクタアセンブリ２００は、プラグチップ２５７を受領するようなサイズになっており、コネクタ本体２３０の第２の本体端部２３６内に受領され、この第２の本体端部２３６と係合するフェルール２５５をも含み得る。したがって、フェルール２５５は、コネクタ本体２３０と係合し、コネクタ本体２３０に入るＪチューブ１１４を覆うように、プラグチップ２５７を覆って配置されるようなサイズとすることができる。この方式で、フェルール２５５は、プラグチップ２５７と係合するように、径方向にＪチューブ１１４を圧縮することができる。
【００３６】
さらに、本明細書で実施されるように、第２のプラグ端部２５６はフランジ２６４を含み得る。このフランジ２６４は、第２のプラグ端部２５６のアパーチャを囲み、フランジ２６４と側壁２５２との間に溝２６５を形成する。フランジ２６４および溝２６５は、プラグ２５０をコネクタ本体２３０に締結するための締結具の一部分を形成することができる。たとえば、本明細書で実施されるように、フランジ２６４は、フランジ２４４に類似のサイズにすることができる。さらに、本明細書で実施されるように、フランジ２６４は、コネクタ本体２３０の凸部２４６を受領するように凹部２６６を形成して、プラグ２５０をコネクタ本体２３０に適切な回転整列で係合させることができる。
【００３７】
上述のように、締結具は、コネクタ本体２３０をプラグ２５０に結合するように提供され得る。締結具は、コネクタ本体２３０および／またはプラグ２５０と一体に形成することができる。たとえば、締結具は、ネジ構成、スナップフィットなどとすることができる。図４Ａから図４Ｃを参照すると、本明細書で実施されるように、締結具はクリップ２７０を含み得る。たとえば、クリップ２７０は、プラグ２５０をコネクタ本体２３０に対して固定するために、コネクタ本体２３０の溝２４５内に配置されるように構成されたノッチ２７５ａ、および、プラグ２５０の溝２６５内に配置されるように構成されたノッチ２７５ｂを有し得る。本明細書で実施されるように、クリップ２７０は、２つの半円形クリップ部分２７２、２７４として構成され得る。２つの半円形クリップ部分２７２、２７４は各々が、クリップ２７０を形成するように、溝２４５と、溝２６５との中に配置されるように構成されている。いくつかの実施形態では、２つのクリップ部分２７２、２７４は、各クリップ部分２７２、２７４の端部において、相互にヒンジで結合され得る。代替的に、クリップ２７０は、単一片の構成要素として構成することができる。
【００３８】
さらに、本明細書で実施されるように、第２のプラグ端部２５６は、デバイスコネクタ４００と結合するようにコネクタを形成することができる。第２のプラグ端部２５６は、間に溝２６８を形成するリング部分２６７と円錐台形部分２６９とを含み得る。したがって、溝２６８は、本明細書にさらに説明されるように、デバイスコネクタ４００とコネクタアセンブリ２００との間の係合を容易にし得る。さらに、開いたプラグナブ２６３は、間に第２の溝２６１を形成するように、円錐台形部分２６９から延びることができる。第２の溝２６１は、プラグ２５０とデバイスコネクタ４００との間をシールするように、ガスケット２７３を受領するようなサイズとすることができる。
【００３９】
引き続き図４Ａから図４Ｃを参照すると、本明細書で実施されるように、コネクタアセンブリ２００は、アパーチャ２２０および２４０内に配置されるようなサイズになっており、コネクタ本体２３０と連通するバルブ２８０を含み得る。たとえば、本明細書で実施されるように、バルブ２８０は、コネクタ本体２３０の被係合部分２４２と係合する係合部分２８５を有し得る。本明細書で実施されるように、係合部分２８５はネジで係合するように構成され得る。しかしながら、たとえば限定ではないが、スナップフィット係合、ラッチ係合、または任意の他の適切な係合などの、任意の適切な係合の構成が、コネクタ本体２３０の被係合部分２４２を補完するために使用され得る。バルブ２８０は、たとえばバルブ２８０がコネクタ本体２３０に対してグリップされるか、コネクタ本体２３０と係合または係合解除することを可能にするように、たとえば６角形ヘッドまたは任意の他の適切な締結具またはドライバヘッドとして構成され得るグリップ部分２８４を含み得る。図４Ｂを参照すると、バルブ２８０は、フィッティング２８７を受領するためのスロット２８６を含み得る。スロット２８６は、バルブ２８０から延びるとともに、バルブ２８０をコネクタ本体２３０内に固定するために、コネクタ本体２３０内に配置され得る。Ｏリング２８８は、バルブ２８０とコネクタ本体２３０との間を液密にシールするために、係合部分２８５の近位のバルブ２８０周りに配置され得る。追加的または代替的シーリング技術が採用され得る。
【００４０】
さらに、本明細書で実施されるように、バルブ２８０は、流体注入デバイス、たとえば限定ではないが、注入器４３０を受領するための、ポート２８２を含み得る。たとえば限定ではないが、本明細書で実施されるように、ポート２８２は、対応する注入器を受領するための、経口／経腸コネクタ、ルアーコネクタ、または任意の他の適切な液密コネクタとして構成され得る。この方式で、Ｊチューブ１１４をバイパスしつつ、流体がコネクタ本体内にＧチューブ１１２を通して導入され得る。この構成は、たとえば、Ｇチューブ１１２を液体で洗浄するか、Ｇチューブ１１２を通して胃に直接液体を投与するのに利用され得る。
【００４１】
図１６Ａから図１７Ｃを参照すると、例示的コネクタアセンブリ６００の代替的実施形態が示されている。たとえば図１７Ａから図１７Ｃに示すように、コネクタアセンブリ６００は概して、シェル６１０、コネクタ本体６３０、およびプラグ６５０を含んでいる。シェルは、内側を形成する側壁６１２を有している。本明細書で実施されるように、シェルは、第１の開口が内部に形成された第１のシェル端部６１４と、第２の開口が内部に形成された第２のシェル端部６１６とを有している。第１のシェル端部６１４の開口および第２のシェル端部６１６の開口は、その開口を通して経皮配管１１０を受領するために内側と連通している。
【００４２】
図１７Ａから図１７Ｃを参照すると、シェルは、被係合部分６１８をさらに有している。本明細書で実施されるように、被係合部分６１８は直角掛けロックで係合するように構成され得る。しかしながら、たとえば限定ではないが、スナップフィット係合、ネジ係合、ラッチ係合、または任意の他の適切な係合などの、任意の適切な係合の構成が使用され得る。さらに、本明細書で実施されるように、被係合部分６１８はシェル６１０の内側に配置され得る。
【００４３】
さらに、本明細書で実施されるように、シェル６１０の側壁６１２は、内部に形成されたアパーチャ６２０を有し得る。アパーチャ６２０により、側壁６１２を通してシェル６１０の内側へのアクセスを可能にし得る。たとえば、本明細書で実施されるように、アパーチャ６２０は、本明細書にさらに説明されているように、流体が、アパーチャ６２０を通してシェル６１０の内側に選択的にアクセスすることを可能にするように、バルブ６８０、または他の適切な流体調整構成要素を受領するようなサイズとすることができる。
【００４４】
図１７Ａから図１７Ｃを参照すると、コネクタアセンブリ６００は、コネクタ本体６３０を含んでいる。本明細書で実施されるように、コネクタ本体６３０は、内部を通してチューブ管腔が形成された、第１の本体端部６３４および第２の本体端部６３６を形成する側壁６３２を有する。第１の本体端部６３４はコネクタチップ６３７を有している。本明細書で実施されるように、コネクタチップ６３７は、内部を通して内側Ｊチューブ１１４を受領するようなサイズになっている内径を有している。さらに、本明細書で実施されるように、コネクタチップ６３７は、外側Ｇチューブ１１２と結合するようなサイズになっている外径を有している。さらに、いくつかの実施形態では、コネクタチップ６３７にはテーパを付けることができる。代替的には、コネクタチップ６３７は、一様な断面寸法を有し得る。
【００４５】
本明細書で実施されるように、コネクタアセンブリ６００は、内部を通してＧチューブ１１２を受領するようなサイズになっているフェルール６３５をも含み得る。さらに、本明細書で実施されるように、コネクタ本体６３０は、コネクタチップ６３７を囲むリム６３９を含み得る。Ｇチューブ１１２はこうして、コネクタチップ６３７とリム６３９との間を、コネクタ本体６３０を通って延びることができる。したがって、フェルール６３５は、コネクタ本体６３０と係合し、コネクタ本体６３０に入るＧチューブ１１２を覆うように、コネクタチップ６３７を覆って配置されるようなサイズとすることができる。この方式で、フェルール６３５は、コネクタチップ６３７と係合するように、径方向にＧチューブ１１２を圧縮することができる。コネクタ本体６３０がシェル６１０に挿入されると、本明細書に記載のように、第１のシェル端部６１４により、Ｇチューブ１１２をコネクタチップ６３７にさらに係合させるように圧縮するために、フェルール６３５をさらに径方向に圧縮することができる。
【００４６】
たとえば、本明細書で実施されるように、コネクタ本体６３０は、シェル６１０の被係合部分６１８と係合する係合部分６３８を有している。本明細書で実施されるように、係合部分６３８はネジで係合するように構成され得る。しかしながら、たとえば限定ではないが、スナップフィット係合、ラッチ係合、または任意の他の適切な係合などの、任意の適切な係合の構成が、係合部分６３８がシェル６１０の被係合部分６１８を補完するために使用され得る。さらに、本明細書で実施されるように、係合部分６３８は、コネクタチップ６３７からコネクタ本体６３０に沿って内側に離間し得る。
【００４７】
さらに、本明細書で実施されるように、コネクタ本体６３０の側壁６３２は、内部に形成されたアパーチャ６４０を有し得る。アパーチャ６４０は、側壁６３２を通してコネクタ本体６３０の内側へのアクセスを可能にし得る。たとえば、本明細書で実施されるように、アパーチャ６４０は、本明細書にさらに説明されているように、流体が、アパーチャ６４０を通してコネクタ本体６３０の内側に選択的にアクセスすることを可能にするように、バルブ６８０、または他の適切な流体調整構成要素を受領するようなサイズとすることができる。さらに、コネクタ本体６３０がシェル６１０と係合すると、アパーチャ６２０とアパーチャ６４０とが整列し得る。さらに、シェル６１０は、たとえばバルブ６８０をコネクタ本体６３０と流体連通させてシェル６１０と係合させるために、アパーチャ６２０の近位に被係合部分６１７を有し得る。たとえば、本明細書で実施されるように、被係合部分６１７は、直角掛けロック係合を提供するために、バルブ本体６８５および固定用フィンガ６８７に対する鍵状の成型構成要素とすることができる。しかしながら、たとえば限定ではないが、ネジ係合、スナップフィット係合、ラッチ係合、または任意の他の適切な係合などの、任意の適切な係合が使用され得る。
【００４８】
本明細書で実施されるように、コネクタ本体６３０は、第２の本体端部６３６の近位の１つまたは複数のフランジ部分６４６を含み得る。フランジ部分６４６は、コネクタ本体６３０をプラグ６５０に結合するために、プラグ本体６５２の対応する部分と係合するようなサイズにすることができる。追加的または代替的に、本明細書で実施されるように、コネクタ本体６３０は、本明細書にさらに説明されるように、プラグ６５０の１つまたは複数の固定用凸部６７２と係合するようなサイズとすることができる、１つまたは複数の固定表面６７４を含み得る。
【００４９】
引き続き図１７Ａから図１７Ｃを参照すると、本明細書で実施されるように、コネクタアセンブリ６００はプラグ６５０を含んでいる。プラグ６５０は、内部を通して流体管腔が形成された、第１のプラグ端部６５４および第２のプラグ端部６５６を形成するプラグ本体６５２を有している。第１のプラグ端部６５４は、そこから延びるプラグチップ６５７を有している。本明細書で実施されるように、プラグチップ６５７は、内側Ｊチューブ１１４と結合するようなサイズになっている。たとえば、本明細書で実施されるように、プラグチップ６５７により、外径がＪチューブ１１４内にフィットするようなサイズになっている管腔が形成され、また、このプラグチップ６５７は、ステンレススチールチューブまたは成型プラスチックチューブとして形成することができる。第１のプラグ端部６５４は、内部にプラグチップ６５７を受領するようなサイズになっているリム６５９を有し得る。本明細書で実施されるように、コネクタアセンブリ６００は、プラグチップ６５７を受領し、コネクタ本体６３０の第２の本体端部６３６内に受領され、この第２の本体端部６３６と係合するようなサイズになっているフェルール６５５をも含み得る。したがって、フェルール６５５は、コネクタ本体６３０と係合し、コネクタ本体６３０に入るＪチューブ１１４を覆うように、プラグチップ６５７を覆って配置されるようなサイズとすることができる。この方式で、フェルール６５５は、プラグチップ６５７と係合するように、径方向にＪチューブ１１４を圧縮することができる。
【００５０】
さらに、本明細書で実施されるように、第２のプラグ端部６５６はフランジ６６４を含み得る。このフランジ６６４は、第２のプラグ端部６５６のアパーチャを囲み、フランジ６６４から延びる１つまたは複数の固定用凸部６７２を有する。固定用凸部６７２は、内部に形成された１つまたは複数の固定リブ６７５を有し得、プラグ６５０をコネクタ本体６３０に締結するための締結具の一部分を形成することができる。たとえば、本明細書で実施されるように、固定用凸部６７２および固定リブ６７５は、固定表面６７４内に受領され、固定表面６７４と係合するようなサイズとすることができる。さらに、本明細書で実施されるように、フランジ６６４は、コネクタ本体６３０の凸部６４６を受領するように凹部６６６を形成して、プラグ６５０をコネクタ本体６３０に適切な回転整列で係合させることができる。この方式で、締結具は、コネクタ本体６３０を、コネクタ本体６３０および／またはプラグ６５０と一体に形成することができるプラグ６５０に結合するために提供され得る。
【００５１】
さらに、本明細書で実施されるように、第２のプラグ端部６５６は、デバイスコネクタ４００と結合するようにコネクタを形成することができる。第２のプラグ端部６５６は、間に溝６６８を形成するリング部分６６７と円錐台形部分６６９とを含み得る。したがって、溝６６８は、本明細書にさらに説明するように、デバイスコネクタ４００とコネクタアセンブリ２００との間の係合を容易にし得る。さらに、開いたプラグナブ６６３は、間に第２の溝６６１を形成するように、円錐台形部分６６９から延びることができる。第２の溝６６１は、プラグ６５０とデバイスコネクタ４００との間をシールするように、ガスケット６７３を受領するようなサイズとすることができる。
【００５２】
引き続き図１７Ａから図１７Ｃを参照すると、本明細書で実施されるように、コネクタアセンブリ６００は、アパーチャ６２０および６４０内に配置されるようなサイズになっており、コネクタ本体６３０と連通するバルブ６８０を含み得る。たとえば、本明細書で実施されるように、バルブ６８０は、シェル６１０の被係合部分６１７と圧入係合するために、固定用フィンガ６８７を有するバルブ本体６８５を含み得る。しかしながら、たとえば限定ではないが、スナップフィット係合、ラッチ係合、または任意の他の適切な係合などの、任意の適切な係合の構成が、シェル６１０の被係合部分６１７を補完するために使用され得る。追加的または代替的に、本明細書で実施されるように、バルブ６８０は、圧入係合、スナップフィット係合、ラッチ係合、または任意の他の適切な係合でコネクタ本体６３０に係合することができる。図１７Ａを参照すると、バルブ本体６８５は、バルブ６８０とシェル６１０との間に液密シールを提供し得るＯリング６８８を受領するためのスロット６８６を含み得る。追加的または代替的シーリング技術が採用され得る。さらに、本明細書で実施されるように、シェル６１０およびコネクタ本体６３０とのバルブ６８０の係合により、コネクタ本体６３０およびプラグ６５０を少なくとも部分的にシェル６１０内に保持するために、シェル６１０をコネクタ本体６３０に対して固定することができる。
【００５３】
さらに、本明細書で実施されるように、バルブ６８０は、流体注入デバイス、たとえば限定ではないが、注入器４３０を受領するための、ポート６８２を含み得る。たとえば限定ではないが、ポート６８２は、対応する注入器を受領するための、経口／経腸コネクタ、ルアーコネクタ、または任意の他の適切な液密コネクタとして構成され得る。この方式で、Ｊチューブ１１４をバイパスしつつ、流体がポート６８２を通り、ポート６８９を出てシェル６１０およびコネクタ本体６３０内に、Ｇチューブ１１２を通して導入され得る。この構成は、たとえば、Ｇチューブ１１２を液体で洗浄するか、Ｇチューブ１１２を通して胃に直接液体を投与するのに利用され得る。
【００５４】
図１７Ａから図１７Ｃを参照すると、本明細書で実施されるように、固定用ツール６９０は、バルブ６８０をシェル６１０に固定するために使用され得る。固定用ツール６９０は、外周６９３およびノッチ６９１を形成する中空凸部６９６を有し得る。外周６９３とノッチ６９１との各々は、バルブ６８０の頂部に形成された１つまたは複数のスロット６８４に対応し得る。そのように、固定用ツール６９０の凸部６９６は、固定用ツール６９０をバルブ６８０に係合させるように、スロット６８４内に挿入され得、それにより、固定用ツール６９０を回すことにより、バルブ６８０が回転してシェル６１０と係合するようになっている。固定用ツールは、その頂部にグリップ部分６９９を有し得、本明細書で実施されるように、凸部６９６よりも幅広で、略平坦とすることができる。本明細書で実施されるように、固定用ツール６９０は、価値６８０がシェル６１０に固定された後に取り除かれ得る。代替的には、固定用ツール６９０は、スロット６８４内に配置された場合、たとえばポート６８２を覆うとともに、ポート６８２をゴミから保護するのに利用されるように保持され得る。
【００５５】
別の態様によれば、開示の主題は、経皮配管のためのコネクタアセンブリを組み立てる方法を含んでいる。経皮配管は、Ｇチューブなどの外側チューブおよびＪチューブなどの内側チューブを含んでいる。本方法は、内側を形成する側壁、第１の開口が内部に形成された第１のシェル端部、および、第２の開口が内部に形成された第２のシェル端部を有するシェルを提供することと、シェルの第１の開口および第２の開口を通して経皮配管を挿入することと、内部を通してチューブ管腔が形成された、第１の本体端部および第２の本体端部を有するコネクタ本体を提供することであって、第１の本体端部がコネクタチップを有する、提供することと、内側Ｊチューブをコネクタチップ内に、コネクタ本体を通して挿入することと、外側Ｇチューブをコネクタチップと結合させることと、内部を通して流体管腔が形成された、第１のプラグ端部および第２のプラグ端部を有するプラグを提供することであって、第１のプラグ端部が、そこから延びるプラグチップを有する、提供することと、内側Ｊチューブをプラグチップと結合させることと、コネクタ本体をプラグと結合させることと、コネクタ本体をシェルと結合させることと、を含んでいる。
【００５６】
限定ではないが、射出成型、ミリングなどを含む、任意の適切な制作技術が、配管アセンブリおよび関連する構成要素のいずれかを形成するのに使用され得る。配管アセンブリおよび関連する構成要素は、たとえば限定ではないが、熱可塑性樹脂、熱硬化性樹脂、エラストマ、および合成繊維などの弾性ポリマを含む任意の適切な材料で形成され得る。たとえば限定ではないが、本明細書で実施されるように、コネクタおよび構成要素は、射出成型樹脂（たとえば、メタクリル酸メチル、アクリロニトリルブタジエン／スチレン（ＭＡＢＳ））を含み得る。エラストマシールまたはフェルールは、たとえば限定ではないが、シリコンを含み得る。Ｏリングは、たとえば限定ではないが、エチレンプロピレンジエンモノマ（ＥＰＤＭ）、ポリウレタン、ポリテトラフルオロエチレン、シリコン、または任意の他の適切な材料を含み得、また、パリレンコーティングを含み得る。プラグチップおよび／またはバルブは、たとえば限定ではないが、ステンレススチールを含み得る。
【００５７】
コネクタアセンブリ２００を組み立てるための例示的技術が図５から図８に示されている。図５を参照すると、外側Ｇチューブ１１２および内側Ｊチューブ１１４を有する経皮配管１１０が提供されている。経皮配管１１０は、目標位置、たとえば、本明細書で実施されるように、瘻孔から延びる自由端部１１６を有している。たとえば図５に示されているように、経皮配管１１０の自由端部１１６は、経皮配管１１０をシェル２１０の内側を通して延ばすために、第１のシェル端部２１４の開口および第２のシェル端部２１６の開口を通して挿入され得る。
【００５８】
ここで図６を参照するとともに、図４Ａから図４Ｃの分解図を参照すると、内側Ｊチューブ１１４が、第１の本体端部２３４の近位のコネクタチップ２３７内に、コネクタ本体２３０を通して挿入され、第２の本体端部２３６を出ている。外側Ｇチューブ１１２は、たとえば本明細書で実施されるように、コネクタチップ２３７をＧチューブ１１２内に挿入することにより、コネクタチップ２３７と結合されている。
【００５９】
図７を参照するとともに、引き続き図４Ａから図４Ｃの分解図を参照すると、プラグチップ２５７がＪチューブ１１４内に挿入されている。プラグ２５０はコネクタ本体２３０に向かって付勢され得、それにより、コネクタ本体フランジ２４４およびプラグフランジ２６４が、凹部２６６内に受領された突出部２４６と整列するようになっている。クリップ２７０のノッチ２７５ａ、２７５ｂは、プラグ２５０をコネクタ本体２３０に結合するために、コネクタ本体２３０の溝２４５内および、プラグ２５０の溝２６５内に挿入され得る。たとえば、本明細書で実施されるように、リング状クリップ２７０をコネクタ本体２３０のフランジ２４４およびプラグ２５０のフランジ２６４周りに形成するために、第１のクリップ部分２７２のノッチ２７５ａ、２７５ｂは溝２４５、２６５の各々内に挿入され得、第２のフリップ部分２７４のノッチ２７５ａ、２７５ｂは溝２４５、２６５の各々内に挿入され得る。
【００６０】
代替的に、図１７Ａから図１７Ｃの実施形態の分解図を参照すると、プラグ６５０の、固定リブ６７５を有する固定用凸部６７２は、プラグ６５０を、コネクタ本体のフランジ６４６がプラグ６５０の凹部６６６内に配置された状態でコネクタ本体６３０に固定するために、固定表面６７４と係合するようにされ得る。
【００６１】
ここで図８を参照するとともに、図４Ａから図４Ｃの実施形態の分解図を参照すると、プラグ２５０が内部に挿入されたコネクタ本体２３０は、第２のプラグ端部２５６が第２のシェル端部２１６から延びた状態で、シェル２１０の内側に付勢され得る。たとえば、本明細書で実施されるように、シェル２１０をコネクタ本体２３０に対して回転させ、それにより、シェル２１０の被係合部分２１８がコネクタ本体２３０の係合部分２３８と係合するようにすることにより、コネクタ本体２３０、プラグ２５０、およびＪチューブ１１４は、定位置に保持され得、シェル２１０は、コネクタ本体２３０に結合され得る。シェル２１０は、アパーチャ２２０がアパーチャ２４０と整列するように、コネクタ本体２３０に対して回転され得る。バルブ２８０は、アパーチャ２２０を通してアパーチャ２４０内に挿入され得、係合特徴部２８２は、たとえば本明細書で実施されるように、バルブ２８０を回転させてコネクタ本体２３０と係合させることにより、コネクタ本体２３０の係合特徴部２４２に係合し得る。
【００６２】
代替的に、図１７Ａから図１７Ｃの実施形態を参照すると、本明細書に記載されるように、バルブ６８０は、アパーチャ６２０を通してアパーチャ６４０内に挿入され得、固定用フィンガ６８７は、たとえば本明細書で実施されるように、バルブ６８０を回転させてシェル６１０と係合させることにより、シェル６１０の係合特徴部６１７に係合し得る。
【００６３】
図８の構成では、プラグ２５０の第２の端部２５６がＪチューブ１１４と流体連通しており、本明細書にさらに記載されるように、注入器４３０もしくはポンプ４５０、または他の流体源などのデバイスと流体連通させるために、デバイスコネクタ４００と結合され得る。さらに、本明細書で実施されるように、バルブ２８０は、Ｇチューブと流体連通しており、注入器４３０またはポンプ４５０との流体連通のために、ポート２８５を介して注入器４３０またはポンプ４５０と結合し得る。
【００６４】
図１を参照すると、本明細書で実施されるように、取外し可能なキャップ２９０は、設けられ得、コネクタアセンブリ２００の第２のプラグ端部２５６を覆うようなサイズとされ得、かつ、第２のプラグ端部２５６に近位の開いたプラグナブ２６３の流体管腔の開口を閉じ得る。キャップ２９０は、自由キャップ、すなわち、コネクタアセンブリ２００とは独立するものとすることができる。代替的には、いくつかの実施形態では、キャップ２９０が、コネクタアセンブリ２００、たとえばシェル２１０またはプラグ２５０に繋げられることができる。
【００６５】
さらに、開示の主題によれば、デバイスコネクタは、本明細書に開示のコネクタアセンブリと結合するように設けられている。デバイスコネクタは、搬送デバイスまたは流体源と結合し得る。限定ではなく説明の目的のために、任意の数の適切なデバイスコネクタの構成が、経皮配管１１０を、任意の適切な流体搬送デバイス、たとえば限定ではないが、図１に示すように、注入器４３０および／またはポンプ４５０に結合するのに使用され得る。図１３Ａから図１４は、例示的デバイスコネクタ４００を示している。本明細書で実施されるように、デバイスコネクタ４００は概して、第１の端部４１４および第２の端部４１６を有する側壁４１２、レバー４７０、ならびにプラグ４９０を含み得る。
【００６６】
デバイスコネクタ４００は、その内側を形成する側壁４１２、および、（たとえば図１に示すように）搬送デバイスから延び、搬送デバイスと流体連通する配管４１０の端部を受領するようなサイズであるアパーチャを内部に有する第１の端部４１４を含み得る。配管４１０は同様に、デバイスコネクタ４００の内側と流体連通するように配置されている。デバイスコネクタ４００は、シールするように係合して、コネクタアセンブリ２００の第２のプラグ端部２５６またはコネクタアセンブリ６００の第２のプラグ端部６５６を受領するようなサイズであるとともに、受領するように構成されている、内部にアパーチャを有する第２の端部４１６を有し得る。さらに、本明細書で実施されるように、側壁４１２は、側壁４１２に複数のスロット４６８を形成する複数の隆起部４６６を含み得る。隆起部４６６およびスロット４６８により、成形性が向上した構造を提供することができるとともに、グリップ性を向上させるために、デバイスコネクタ４００に凹凸表面を設けることができる。デバイスコネクタ４００および／またはコネクタアセンブリ２００もしくは６００には、デバイスコネクタ４００をコネクタアセンブリ２００に結合するための、取外し可能な接続特徴部が設けられ得る。本明細書で実施されるように、レバー４７０などの様々なクイックコネクタが使用され得る。レバー４７０は、側壁４１２のアパーチャ４７４に受領されるレバー凸部４７２により、側壁４１２にヒンジで結合され得る。レバー４７０は、本明細書に記載のように、それぞれ第２のプラグ端部２５６または６５６などの、コネクタアセンブリ２００または６００の結合部分に係合する固定用延長部４７６をも含み得る。したがって、レバー４７０は、デバイスコネクタ４００のコネクタアセンブリ２００または６００への取外し可能な係合を提供し得る。
【００６７】
たとえば図１４に示すように、デバイスコネクタ４００はさらに、デバイスコネクタ４００の内側の傾斜表面４６９に沿って配置されたバイアスプレート４８８を含み得る。バイアスプレート４８８は、固定用延長部４７６を固定位置に付勢するように、レバー４７０のスロット４７８内に配置され得る。バイアスプレート４８８は、その１つまたは複数の端部に１つまたは複数のノッチ４８９を含み得る。このノッチ４８９は、たとえばバイアスプレート４８８を固定用延長部４７６および／または自由端部４７３と整列させるために、レバー４７０の対応する凸部を受領するようなサイズにするとともに、受領するように構成することができる。たとえば、本明細書で実施されるように、図１３Ｅに示すように、固定位置において、固定用延長部４７６は、デバイスコネクタ４００の第２の端部４１６のアパーチャと整列するように付勢され得る。この構成では、コネクタアセンブリ２００の第２のプラグ端部２５６がデバイスコネクタ４００の第２の端部４１６のアパーチャ内に挿入される際に、たとえば図１５に示すように、レバーの固定用延長部４７６が、第２のプラグ端部２５６の円錐台形部分２６９に沿って来るとともに、第２のプラグ端部の溝２６８内に挿入され得る。この方式で、本明細書で実施されるように、固定用延長部４７６は、デバイスコネクタ４００を軸方向に、デバイスコネクタ４００および配管４１０の内側と流体連通するための経皮配管１１０を有するコネクタアセンブリ２００と結合し得る。さらに、本明細書で実施されるように、固定用延長部４７６は、溝２６８の周囲に沿って自在にスライド可能であり、したがって、デバイスコネクタ４００は、軸方向の係合を維持しつつ、コネクタアセンブリ２００に対して回転することができる。
【００６８】
そのように、本明細書で実施されるように、コネクタアセンブリ２００により、経皮配管１１０とデバイスコネクタ４００との間の、しっかりとしたシールされた接続が提供され得、経皮配管１１０の不慮の接続解除および変位を妨げるか防止する。さらに、この接続は、ねじることによる接続を必要としない。むしろ、たとえば本明細書で実施されるように、直線的な押込みばめが利用できる。接続されると、搬送デバイスは、治療薬の患者への搬送のために、コネクタアセンブリ２００、ひいては経皮配管１１０に結合される。
【００６９】
図１４を参照すると、レバー４７０は、固定用延長部４７６とは反対側の自由端部４７３を有し得る。デバイスコネクタ４００をコネクタアセンブリ２００から接続解除するために、バイアスプレート４８８のバイアス力に打ち勝ち、固定用延長部４７６をデバイスコネクタ４００の第２の端部４１６のアパーチャとの整列から離し、ひいては第２のプラグ端部２５６の溝２６８から離れるように動かすように、自由端部４７３を少なくとも部分的に側壁４１２内に付勢するように圧力を加えることができる。この構成では、コネクタアセンブリ２００は、デバイスコネクタ４００から自在に外すことができる。
【００７０】
さらに、図１４を参照すると、デバイスコネクタ４００のカバー４９０は、コネクタアセンブリ２００が接続されていない場合、第２の端部４１６のアパーチャを覆うのに使用することができる。カバー４９０は、カバー４９０のグリップを容易にするために、グリップ部分４９２を含み得る。カバー４９０は、本明細書に記載のように、コネクタアセンブリ２００の第２のプラグ端部２５６と略同様に構成することができるカバー端部４９４を含み得る。
【００７１】
別の態様によれば、開示の主題は、経皮配管を含む配管アセンブリのためのバンパを含んでいる。バンパは、経皮配管の軸方向の移動を防止するか妨げるように構成されている。バンパは、経皮配管を受領するようなサイズの、内部を通して形成されたアパーチャを有するベースと、第１のバンパベース部分および第２のバンパベース部分であって、第１のバンパベース部分および第２のバンパベース部分の各々がアパーチャの一部分を形成するノッチを有する、第１のバンパベース部分および第２のバンパベース部分と、第１のバンパベース部分と第２のバンパベース部分とをともに接続するためのコネクタと、を含んでいる。バンパは、本明細書に記載の特徴のいずれかまたはすべてを含み得る。
【００７２】
配管システム１００のための例示的バンパ３００が、図９Ａから図１０に示されている。本明細書にさらに説明するように、バンパ３００は、経皮配管１１０の軸方向の移動を妨げるか防止するために、経皮配管１１０周りに配置されるように構成され得る。図９Ａから図９Ｃを参照すると、バンパ３００は、内部を通して形成されたアパーチャ３１２を有するベース３０２を含み得る。複数の隆起部３０４は、ベース３０２の底面に形成することができる。ベース３０２は、略平坦とすることができるとともに、弓状外周３０６、または他の適切な形状を含み得る。
【００７３】
特定の実施形態では、ベース３０２は単一片の部材とすることができ、それにより、経皮配管１１０はアパーチャに通されるようになっている。代替的には、複数片の構成を提供することができる。たとえば図１０を参照すると、本明細書で実施されるように、バンパ３００は、第１のバンパベース部分３１０および第２のバンパベース部分３２０を含み得る。図１０に示すように、第１のバンパベース部分３１０は概して、第２のバンパベース部分３２０を忠実に反映することができる。第１のバンパベース部分と第２のバンパベース部分との各々は、アパーチャの一部分を形成するノッチ３１１を有し得る。第１のバンパベース部分３１０と第２のバンパベース部分３２０とは、たとえば本明細書で実施されるように、バンパベース部分３１０と３２０の一方から延びる凸部３２４が、バンパベース部分３１０と３２０の他方内に形成されたレセプタクル３１４内に挿入された状態で、ともに接続することができる。追加的または代替的に、第１のバンパベース部分３１０は、第２のバンパベース部分３２０内に形成されたレセプタクル内に挿入される凸部３１６を含み得る。
【００７４】
さらに、本明細書で実施されるように、第１のバンパベース部分３１０および第２のバンパベース部分３２０は各々が、第１のバンパベース部分３１０と第２のバンパベース部分３２０との各々のノッチ３１１の近位に位置する支持壁３１８、３２８を含み得る。図１０を参照すると、フード３４０は、たとえば本明細書で実施されるように、支持壁３１８、３２８の各々から延びるリング凸部３１３ａ、３２３ａおよび、フード３４０から延びる対応するリング凸部３１３ｂ、３２３ｂを通して挿入されるピン３４２により、第１のバンパベース部分３１０と第２のバンパベース部分３２０の各々の支持壁３１８、３２８にヒンジで接続され得る。
【００７５】
図９Ａから図１０を参照すると、本明細書で実施されるように、支持壁３１８、３２８の各々は、アパーチャ３１２から延びるＵ状チャネル３１５の一部分を形成し、第１のバンパベース部分３１０と第２のバンパベース部分３２０とがともに接続されている場合に経皮配管１１０を受領するようなサイズになっている、湾曲した壁面３１９、３２９を有し得る。チャネル３１５は、アパーチャ３１２の近位の平坦面に対して略垂直な向きに並べられ得、次いで、略垂直な向きに対するある角度で並べられるように湾曲する。たとえば、チャネル３１５は、アパーチャ３１２からある距離で平坦面３０２に対して略平行に並べられるように、支持壁３１８、３２８の各々に沿って延び得る。この方式で、チャネル３１５は、瘻孔に略垂直な向きから、内部に経皮配管１１０を維持し得、これにより、瘻孔を囲む肌との接触を低減するとともに、瘻孔の治療を促進し、次いで、経皮配管１１０を、より低いプロファイルのためなど、アパーチャ３１２からある距離において錯角に向けてガイドすることができる。さらに、本明細書で実施されるように、患者は、瘻孔に対する経皮配管１１０の向きを変更することなく、アパーチャ３１２に対する経皮配管１１０の径方向の向きを変更することができる。この方式で、本明細書で実施されるように、バンパ３００により、患者が、患者の腹腔の水平面内など、アパーチャ３１２からの任意の径方向の向きに経皮配管１１０を向けることが可能になる。したがって、本明細書で実施されるように、バンパ３００は、バンパ３００から出る経皮配管１１０の一部を略平坦なプロファイルに維持することができ、これにより、目立ちにくく、患者にはより快適になり得る。本明細書に開示のバンパ３００により、経皮配管１１０は、たとえば、患者が身につけるか使用する衣類またはアクセサリのための場所をあけるために、任意の径方向の向きに向けることができる。
【００７６】
さらに、本明細書で実施されるように、フード３４０は、経皮配管１１０の一部分を受領するようなサイズになっているＵ状表面３４４を有し得る。ここで図１１から図１２を参照すると、本明細書で実施されるように、チャネル３１５に沿って延びる経皮配管により、フード３４０は、図１１に示すような、バンパが経皮配管に対して自在に移動可能である開位置と、図１２に示すような、バンパ３００が経皮配管１１０に対して固定されている閉位置との間で移動可能とすることができる。この閉位置では、フード３４０のＵ状表面３４４は、支持壁３１８、３２８の少なくとも一部分に重なり得、それにより、フード３４０がチャネル３１５内の経皮配管１１０の一部分を囲むことができ、こうして、アパーチャ３１２から延びる経皮配管１１０を所望の角度、たとえば、ベース３０２の平坦面の近位で、この平坦面に略平行な位置に案内する。
【００７７】
限定ではないが、射出成型、ミリングなどを含む、任意の適切な制作技術が、配管アセンブリおよび関連する構成要素のいずれかを形成するのに使用され得る。配管アセンブリおよび関連する構成要素は、たとえば限定ではないが、熱可塑性樹脂、熱硬化性樹脂、エラストマ、および合成繊維などの弾性ポリマを含む任意の適切な材料で形成され得る。バンパは、たとえば限定ではないが、射出成型樹脂（たとえば、ＭＡＢＳ）を含み得、また、熱可塑性エラストマ（ＴＰＥ）のオーバーモールドを含み得る。
【００７８】
さらに、本明細書で実施されるように、バンパ３００は、患者の体の内部に経皮配管１１０に沿って配置され、したがって、バンパ３００からの瘻孔と対向する側に配置されたクッション３３０を含み得る。そのように、クッション３３０により、体内に経皮配管１１０の一部分を保持するための可撓性アンカを提供することができる。クッション３３０は、たとえば高分子材料などの、バンパ３００に比べて柔らかく可撓性の材料で形成することができるとともに、シリコンのオーバーモールドを有することができる。
【００７９】
図１８Ａから図１９Ｂを参照すると、例示的バンパ７００の代替的実施形態が示されている。本明細書に説明するように、バンパ７００は、経皮配管１１０の軸方向の移動を妨げるか防止するために、経皮配管１１０周りに配置されるように構成され得る。図１８Ａから図１８Ｃを参照すると、バンパ７００は、内部を通して形成されたアパーチャ７１２を有するベース７０２を含み得る。複数の隆起部７０４は、ベース７０２の底面に形成することができる。ベース７０２は、略平坦とすることができるとともに、弓状外周７０６、または他の適切な形状を含み得る。隆起部７０４は、ベース７０２と瘻孔との間にギャップを提供することができ、これにより、瘻孔への空気の流れを改善することができ、それにより、治療を改善し、かつ／または、瘻孔周りの肌の感染を低減するか防止する。本明細書で実施されるように、隆起部７０４は、丸くなっているか弓状形状の外側表面を有し得、これにより、バンパ７００が瘻孔周りの肌に係合する際の快適性を向上させることができる。さらに、隆起部７０４により、本明細書に記載するように、たとえばフード７４０が開かれているか閉じられている場合に、瘻孔に対するバンパ７００の望ましくない移動を防止するか妨げるために、静止摩擦が増加した表面を提供することができる。
【００８０】
特定の実施形態では、ベースは、単一片の部材とすることができ、それにより、経皮配管１１０はアパーチャに通されるようになっている。代替的には、複数片の構成を提供することができる。図１９Ａおよび図１９Ｂを参照すると、本明細書で実施されるように、ベース７０２は、ベース部分７１０と、このベース部分７１０を収容するための基板部分７５０とを含み得る。たとえば図１９Ａおよび図１９Ｂに示すように、基板部分７５０は、内部に形成され、ベース部分７１０を受領するようなサイズになっている凹部７５４を有し得る。基板部分７５０は、基板部分７５０内に受領されるベース部分７１０のアパーチャ７１２とチャネル７１５とにそれぞれ合うように配置されたアパーチャ７５２とチャネル７５５とを有し得る。さらに本明細書で実施されるように、基板部分７５０は、ベース部分７１０を基板部分７５０内に固定するために、ベース部分７１０の対応するスロット７２２内に受領されるようなサイズになっている鍵状凸部７５８を含み得る。
【００８１】
さらに、本明細書で実施されるように、ベース部分７１０は、アパーチャ７１２の近位に位置する支持壁７１８を含み得る。図１９Ａおよび図１９Ｂを参照すると、フード７４０は、支持壁７１８によって形成され得るトラック７２０内で、ベース７０２にスライド可能に結合され得る。たとえば、本明細書で実施されるように、フード７４０の両側のレール７６４は、支持壁７１８の両側に形成され得るトラック７２０に挿入され、トラック７２０内をスライドすることができる。支持壁７１８は、本明細書に説明するように、フード７４０の１つまたは複数の被係合部分７４３と係合して、閉位置へのフード７４０の横方向の移動を制限することができる、１つまたは複数の横方向の凸部７２４を含み得る。さらに、本明細書で実施されるように、横方向の凸部７２４に近位のトラック７２０の各々に沿って配置されたトラックの凸部７２９は、フード７４０を閉位置に固定するために、レール７６４の各々に沿って凸部７６０と凸部７６３との間に形成された、レール凹部７６２内に受領されるサイズとすることができる。フード７４０は、たとえば、トラックの凸部７２９をレール７６４の凹部７６２との係合から離れるように付勢するように、フード７４０を横方向の凸部７２４から離れるように付勢することにより、開位置に向かって移動することができる。凸部７６０は、トラック７２０内に配置されたレール７６４を保持するために、開位置に向かう方向へのフード７４０の横方向の移動を制限するように、対応するトラックの凸部７２８に当接することができる。この方式で、フード７４０は、たとえば、ベース部材７１０からフード７４０が不注意に外れることを防止するか妨げるために、ベース部材７１０と係合した状態が保持されるように構成され得る。
【００８２】
図１８Ａから図１９Ｂを参照すると、本明細書で実施されるように、支持壁７１８の両側は各々、アパーチャ７１２から延びるＵ状チャネル７１５の一部分を形成し、経皮配管１１０を受領するようなサイズになっている、輪郭を持った凹部７１９を有し得る。輪郭を持った凹部７１９は、アパーチャ７１２の近位の平坦面に対して略垂直な向きに並べられ得、次いで、略垂直な向きに対するある角度で並べられるように湾曲する。たとえば、輪郭を持った凹部７１９は、アパーチャ７１２からある距離で平坦面７０２に対して略平行に並べられるように、支持壁７１８に沿って延び得る。この方式で、輪郭を持った凹部７１９は、瘻孔に略垂直な向きから、内部に経皮配管１１０を維持し得、これにより、瘻孔を囲む肌との接触を低減するとともに、瘻孔の治療を促進し、次いで、経皮配管１１０を、より低いプロファイルのためなど、アパーチャ７１２からある距離において錯角に向けてガイドすることができる。さらに、本明細書で実施されるように、患者は、瘻孔に対する経皮配管１１０の向きを変更することなく、アパーチャ７１２に対する経皮配管１１０の径方向の向きを変更することができる。この方式で、本明細書で実施されるように、バンパ７００により、患者が、患者の腹腔の水平面内など、アパーチャ７１２からの任意の径方向の向きに経皮配管１１０を向けることが可能になる。したがって、本明細書で実施されるように、バンパ３００は、バンパ７００から出る経皮配管１１０の一部を略平坦なプロファイルに維持することができ、これにより、目立ちにくく、患者にはより快適になり得る。本明細書に開示のバンパ７００により、経皮配管１１０は、たとえば、患者が身につけるか使用する衣類またはアクセサリのための場所をあけるために、任意の径方向の向きに向けることができる。
【００８３】
さらに、本明細書で実施されるように、フード７４０は、経皮配管１１０の一部分を受領するようなサイズになっているＵ状表面７４４を有し得る。ここで図２０および図２１を参照すると、本明細書で実施されるように、チャネル７１５に沿って延びる経皮配管により、フード７４０は、図２０に示すような、バンパが経皮配管に対して自在に移動可能である開位置と、図２１に示すような、バンパ７００が経皮配管１１０に対して固定されている閉位置との間でスライド可能とすることができる。そのように、開位置において、バンパ７００は経皮配管１１０周りに自在に回転し、経皮配管１１０に沿って移動することが可能であり、これにより、経皮配管１１０をバンパ７００から、平坦面７０２に沿う任意の方向に向けることが可能になり得る。閉位置では、フード７４０のＵ状表面７４４は、支持壁７１８の少なくとも一部分に重なり得、それにより、フード７４０がチャネル７１５内の経皮配管１１０の一部分を囲むことができ、こうして、アパーチャ７１２から延びる経皮配管１１０を所望の角度、たとえば、ベース７０２の平坦面の近位で、この平坦面に略平行な位置に案内する。この方式で、閉位置において、経皮配管１１０は、元の位置にある場合の瘻孔から経皮配管１１０が出る方向に対して約９０°の角度に配置することができる。
【００８４】
限定ではないが、射出成型、ミリングなどを含む、任意の適切な制作技術が、配管アセンブリおよび関連する構成要素のいずれかを形成するのに使用され得る。配管アセンブリおよび関連する構成要素は、たとえば限定ではないが、熱可塑性樹脂、熱硬化性樹脂、エラストマ、および合成繊維などの弾性ポリマを含む任意の適切な材料で形成され得る。バンパは、たとえば限定ではないが、射出成型樹脂（たとえば、ＭＡＢＳ）を含み得、また、ＴＰＥのオーバーモールドを含み得る。
【００８５】
さらに、本明細書で実施されるように、バンパ７００は、患者の体の内部に経皮配管１１０に沿って配置され、したがって、バンパ７００からの瘻孔に対向する側に配置されたクッション７３０を含み得る。そのように、クッション７３０により、体内に経皮配管１１０の一部分を保持するための可撓性アンカを提供することができる。クッション７３０は、たとえば高分子材料などの、バンパ７００に比べて柔らかく可撓性の材料で形成することができるとともに、シリコンのオーバーモールドを有することができる。
【００８６】
開示の主題のコネクタアセンブリおよび配管システムは、対応する体積または服薬量の、任意の様々な適切な液体物質の搬送のために使用され得る。
【００８７】
開示の主題が本明細書において、特定の好ましい実施形態に関して記載されたが、当業者には、様々な変更および改善を開示の主題に対して、開示の主題の範囲を逸脱することなく行うことが可能であることを理解されたい。さらに、開示の主題の一実施形態の個別の特徴が、本明細書において説明されるか、一実施形態の図に示され得、他の実施形態になくても、一実施形態の個別の特徴は、別の実施形態の１つまたは複数の特徴、または複数の実施形態の複数の特徴と合わせることができることが明らかであろう。
【００８８】
添付の特許請求の範囲に請求される特定の実施形態に加え、開示の主題は、添付の特許請求の範囲に請求される従属的特徴、および上述の従属的特徴の任意の他の可能性のある組合せを有する他の実施形態をも対象とする。そのように、従属請求項に提供された特定の特徴、および、上に開示の特定の特徴は、開示の主題が、任意の他の可能性のある組合せを有する他の実施形態をも特に対象とするものとして理解されるように、開示の主題の範囲内における他の方式で、相互に組み合わせることができる。したがって、開示の主題の特定の実施形態の上述の記載は、例示および説明を目的として提供されたものである。それら記載は網羅的であるか、あるいは開示の主題を開示のこれら実施形態に限定することは意図されていない。
【００８９】
当業者には、様々な変更および変形が、開示の主題の範囲または精神から逸脱することなく、開示の主題の方法およびシステムに行われ得ることが明らかとなる。したがって、開示の主題が、添付の特許請求の範囲およびその均等の範囲内にある変更および変形を含むことが意図されている。
【図１】
2019069170.tif 000003
【図２】
2019069170.tif 000004
【図３Ａ】
2019069170.tif 000005
【図３Ｂ】
2019069170.tif 000006
【図３Ｃ】
2019069170.tif 000007
【図３Ｄ】
2019069170.tif 000008
【図４Ａ】
2019069170.tif 000009
【図４Ｂ】
2019069170.tif 000010
【図４Ｃ】
2019069170.tif 000011
【図５】
2019069170.tif 000012
【図６】
2019069170.tif 000013
【図７】
2019069170.tif 000014
【図８】
2019069170.tif 000015
【図９Ａ】
2019069170.tif 000016
【図９Ｂ】
2019069170.tif 000017
【図９Ｃ】
2019069170.tif 000018
【図１０】
2019069170.tif 000019
【図１１】
2019069170.tif 000020
【図１２】
2019069170.tif 000021
【図１３Ａ】
2019069170.tif 000022
【図１３Ｂ】
2019069170.tif 000023
【図１３Ｃ】
2019069170.tif 000024
【図１３Ｄ】
2019069170.tif 000025
【図１３Ｅ】
2019069170.tif 000026
【図１４】
2019069170.tif 000027
【図１５】
2019069170.tif 000028
【図１６Ａ】
2019069170.tif 000029
【図１６Ｂ】
2019069170.tif 000030
【図１６Ｃ】
2019069170.tif 000031
【図１６Ｄ】
2019069170.tif 000032
【図１７Ａ】
2019069170.tif 000033
【図１７Ｂ】
2019069170.tif 000034
【図１７Ｃ】
2019069170.tif 000035
【図１８Ａ】
2019069170.tif 000036
【図１８Ｂ】
2019069170.tif 000037
【図１８Ｃ】
2019069170.tif 000038
【図１９Ａ】
2019069170.tif 000039
【図１９Ｂ】
2019069170.tif 000040
【図２０】
2019069170.tif 000041
【図２１】
2019069170.tif 000042
【手続補正書】
【提出日】平成31年1月4日(2019.1.4)
【手続補正１】
【補正対象書類名】特許請求の範囲
【補正対象項目名】全文
【補正方法】変更
【補正の内容】
【特許請求の範囲】
【請求項１】
経皮配管を備えた、経皮配管のためのバンパであって、経皮配管の軸方向の移動を防止するか妨げるように構成され、
内部を通して形成され、経皮配管を受領するようなサイズになっているアパーチャを有するベースと、
ベースに固定され、バンパが経皮配管に対して自在に移動可能である開位置と、バンパが経皮配管に対して固定されている閉位置との間で、アパーチャの近位で移動可能であるフードと、を備えたバンパ。
【請求項２】
ベースの底面に形成された複数の隆起部をさらに備えた、請求項１に記載のバンパ。
【請求項３】
ベースが弓状外周を備えている、請求項１に記載のバンパ。
【請求項４】
ベースが、第１のバンパベース部分および第２のバンパベース部分を備え、第１のバンパベース部分と第２のバンパベース部分との各々が、アパーチャの一部分を形成するノッチを有する、請求項１に記載のバンパ。
【請求項５】
バンパが、第１のバンパベース部分と第２のバンパベース部分とをともに接続するためのバンパベースコネクタをさらに備えている、請求項４に記載のバンパ。
【請求項６】
バンパベースコネクタが、第１のバンパベース部分と第２のバンパベース部分との一方から延びる凸部と、この凸部を受領するための、第１のバンパベース部分と第２のバンパベース部分との他方内に形成されたレセプタクルとを含んでいる、請求項５に記載のバンパ。
【外国語明細書】
2019069170000001.pdf